(57)【要約】      （修正有）【課題】ボディを必要以上に大型化させることなく集積回路や半導体部品からの発熱を抑えるだけの冷却機能を有する冷却機構を備えた撮影装置を提供する。【解決手段】  熱源であるＣＣＤ固体撮像素子１２０が実装されている基板ＰＣＢの背面側に循環路１２０１を設ける。その循環路１２０１に水を満たしておいて、ＣＣＤ固体撮像素子１２０の背面側にある吸熱位置で水にその熱を吸収させる。熱を吸収して局部的に温度が上がりかさが増え軽くなった水を対流作用により上昇させボディの内壁面ＩＷに接する放熱位置ＰＡに到達させて、その位置ＰＡで外部へと放熱させる。さらに冷却された水をＣＣＤ固体撮像素子１２０の背面側（符号ＰＡ側）とは反対の側の循環路へと導くことにより水を循環させる。【選択図】図５
2007149453.tif 000002
【特許請求の範囲】
【請求項１】
燃料電池を備え、該燃料電池から電力の供給を受けて動作する、被写体像を捉えて画像データを生成する撮影装置において、
前記燃料電池で生成される水を循環させる循環路を有し、
前記循環路は、この撮影装置内の熱源からの熱を吸収する吸熱位置と吸収した熱をこの撮影装置外に放熱する放熱位置とを経由して循環させる循環路を有することを特徴とする撮影装置。
【請求項２】
この撮影装置は、撮影補助光を発光する発光部を備えたものであって、
前記熱源は、前記発光部であることを特徴とする請求項１記載の撮影装置。
【請求項３】
この撮影装置は、被写体像を表わす画像信号を生成する撮像素子を備えたものであって、
前記熱源は、前記撮像素子であることを特徴とする請求項1記載の撮影装置。
【請求項４】
この撮影装置は、信号処理用の集積回路を備えたものであって、
前記熱源は、前記集積回路であることを特徴とする請求項1記載の撮影装置。
【発明の詳細な説明】
【技術分野】
【０００１】
本発明は、燃料電池で動作する撮影装置に関する。
【背景技術】
【０００２】
電池には乾電池に代表される一次電池やニッケルカドミュウム電池に代表される二次電池など様々な種類のものがある。最近これらの電池に加えて水素を原料として化学反応により起電力を得る燃料電池が注目を集めている。この燃料電池は、いままでの電池とは異なり、使用済みの電池が持つ成分が水のみになるため、環境に配慮した点から今後需要が見込まれている。
【０００３】
このような燃料電池にも水素を燃料とするものからメタノールを燃料とするものまでいろいろな種類のものがあり、撮影装置においては直接メタノール型電池が用いられているものもある（例えば特許文献１，２参照）。
【０００４】
特許文献１、２に示す直接メタノール型燃料電池の場合には、メタノールが充填された燃料タンクを、使用済みの燃料タンク（水が生成されている）と交換すればいつまでも燃料電池を用いることができる。
【０００５】
ところで、最近の撮影装置にあっては、インテリジェント化が進み、非常に高度な処理を高速で行なう大規模な集積回路が数多く実装されるようになってきている。このような高速処理を行なう集積回路においては今までのものよりも多く発熱することが知られている。また最近ではキセノン管に代えて発光部に半導体部品の一つであるＬＥＤを用いようとする動きがある。このような動きが本格化してきてＬＥＤが発光源として用いられるようになってくると、上記集積回路以上に発熱することが予想される。
【０００６】
このように以前にも増して半導体部品や集積回路からの発熱が増してくるとなると、動作中に半導体部品内や集積回路内の内部温度が上昇して動作が保証される許容温度範囲を超えて半導体部品が焼損してしまう恐れが出てくる。また、撮影装置内部の集積回路や反動部品から発熱が起こると、その熱が撮影装置のボディにまで伝わってボディが熱くなってしまうこともある。そうすると、ユーザによっては撮影装置内部に何か異常が起きたのではないかと思ってしまう人もいる。
【０００７】
このようなことを避けるために特許文献３のもののように撮影措置内部に冷却機構として例えば放熱フィンやファン等を設けることもできるが、放熱フィンやファン等を設けようとすると、ボディが必要以上に大型化してしまうという問題がある。
【特許文献１】特開２００５−５５６４２号公報
【特許文献２】特開２００５−６２５３２号公報
【特許文献３】特開２００３−４３５７６号公報
【発明の開示】
【発明が解決しようとする課題】
【０００８】
そこで、本発明は、上記事情に鑑み、ボディを必要以上に大型化させることなく半導体部品からの発熱を押さえるだけの冷却機能を有する冷却機構を備えた撮影装置を提供することを目的とする。
【課題を解決するための手段】
【０００９】
上記目的を達成する本発明の撮影装置は、燃料電池を備え、その燃料電池から電力の供給を受けて動作する、被写体像を捉えて画像データを生成する撮影装置において、
上記燃料電池で生成される水を循環させる循環路を有し、
上記循環路は、この撮影装置内の熱源からの熱を吸収する吸熱位置と吸収した熱をこの撮影装置外に放熱する放熱位置とを経由して循環させる循環路を有することを特徴とする。
【００１０】
上記本発明の撮影装置によれば、上記燃料電池で生成された水を上記循環路を循環させることにより、上記熱源付近における吸熱位置で熱をその水に吸収させ、さらにその熱を吸収させることにより温度が上昇して高温になった水を今度はその水よりも温度が低い上記放熱位置（例えばボディの内壁面）に到達させその放熱位置で外部へと放熱させる。ここで熱を放熱させたことにより熱源付近にあったときよりも低温になった水を再度、熱源付近の吸熱位置に到達させ、以降水による吸熱・放熱作用を繰り返し生じさせると、効率的な冷却機構が実現する。
【００１１】
このように上記燃料電池で生成された水を冷却水として活用することによって優れた冷却機能を持つ冷却機構が実現する。
【００１２】
また、燃料電池で生成された水を上記循環路に引き込みさらに循環させるにあたっては、生成された水が貯留される水回収部近傍にポンプを設けて循環路に水を引き込み引き込んだ水を循環させても、燃料電池で生成された水が貯留される水回収部の底部に孔をあけて循環路内に水が流れ込むようにしておいて、循環路内の熱源近くの水を熱することにより水に対流を起こさせるようにして水を循環させるようにしても良い。
【００１３】
このようにすると、ボディをやや大きめにして熱源近くに放熱用のフィン等を設けるようなことをしなくても、上記燃料電池で生成された水を用いた、効率的な冷却機構が実現する。
【００１４】
以上説明したように、ボディを必要以上に大型化させることなく半導体部品からの発熱を抑えるだけの冷却機能を有する冷却機構を備えた撮影装置が実現する。
【００１５】
ここで、この撮影装置は、撮影補助光を発光する発光部を備えたものであった場合には、
上記熱源が上記発光部であっても良く、またこの撮影装置が被写体像を表わす画像信号を生成する撮像素子を備えたものであった場合には、上記熱源が上記撮像素子であっても良く、また、この撮影装置が信号処理用の集積回路を備えたものであった場合には、上記熱源が上記集積回路であっても良い。
【００１６】
さらに、この撮影装置が、上記発光部と上記撮像素子と上記集積回路とをすべて備えたものであっても、少なくとも一つを備えたものであって良い。
【発明の効果】
【００１７】
以上、説明したように、ボディを必要以上に大型化させることなく集積回路や半導体部品からの発熱を抑えるだけの冷却機能を有する冷却機構を備えた撮影装置が実現する。
【発明を実施するための最良の形態】
【００１８】
以下、本発明の実施の形態について説明する。
【００１９】
ここでは本出願人が先に出願している特許文献１、２のデジタルカメラ１と同等のデジタルカメラを例に掲げて説明する。この特許文献１、２に記載のデジタルカメラ１では電力供給源である二次電池の充電を効率的に行なうために燃料電池が配備されていたが、本実施形態においてはデジタルカメラの電力供給源として燃料電池が用いられている。
【００２０】
図１、図２は、そのデジタルカメラ１の外観を示す図であり、図３は、図１、図２に示すデジタルカメラ内部の回路構成を示すブロック図である。また、図４は、燃料電池１０およびその燃料電池１０に燃料を供給するために装填された燃料タンク１０１周辺の構造を説明する図である。
【００２１】
まず図１、図２を参照して構成を説明する。
【００２２】
図１に示すようにボディ正面中央にレンズ鏡胴１０００が備えられており、そのレンズ鏡胴１０００に内蔵されている撮影レンズ１０２１で被写体を捉えることにより撮影が行なわれる。またボディ上面にはシャッタボタン１０４が備えられていてそのシャッタボタン１０４により撮影開始の合図が後述するシステム制御回路へと伝えられる。また図２に示すように背面側には表示画面１５０１ほか、モードスイッチ１０３などの操作子が多数配備されている。なお図１の側面には電源ジャックほか、外部機器からの接続ケーブルが接続されるコネクタ部等も備えられている。また、フラッシュ発光窓１１Ａやファインダの対物窓なども図示されている。
【００２３】
また図１に示す様にシャッタボタン１２の反対の側には燃料電池１０を動作させるためのメタノールを収容した燃料タンク１０１が装填される装填室１００が設けられている。この装填室１００にはスライド自在の蓋１０２が設けられていて、その蓋１０２の開閉操作に応じて装填室１００に取出自在にその燃料タンク１０１を装填することも、取り出すこともできるようになっている。
【００２４】
この例においては装填室１００内に燃料タンク１０１が装填されるときには燃料タンク１０１が蓋１０２の部分から装填室１００側に向けて少し押し込まれるようにして挿入されたときに後述する送出機構によって自動的に燃料タンク１０１が引き込まれて装填室１００に装填されるようになっている。
【００２５】
またこの実施形態においては、このデジタルカメラ１により撮影が行なわれ続けて燃料タンク１０１内のメタノールの残量が少なくなったときには図２に示す表示画面１５０１上に表示により警告が表示されるようになっている。もしもその警告を見てユーザによって燃料タンク１０１の交換が行なわれようとして蓋１０２が開けられたときには、今度はこれから交換が行なわれることが内部のシステム制御回路により検知され燃料タンク１０１が、上記送出機構により取り出し易い位置まで自動的に送り出されるようになっている。
【００２６】
ここで、その燃料電池１０を備えるデジタルカメラ１の内部の回路構成および動作を、図３を参照して簡単に説明する。
【００２７】
本実施形態のデジタルカメラ１ではすべての処理がシステム制御回路１１０によって制御されている。このシステム制御回路１１０の入力部には図１に示したシャッタボタン１０４ほか、モードスイッチ１０３、ズームスイッチ１０６等の操作子が接続されていてそれらの操作子のうちの少なくともいずれかの操作により操作信号がこのシステム制御回路１１０に供給されてくると、それらの操作子の操作に応じた処理が開始されるようになっている。
【００２８】
また図１、図２には示していないが、本実施形態のデジタルカメラ１は、着脱自在な記憶媒体３００ここではメモリカードが媒体装填室１００Ａに装着されてその媒体装填室１００Ａに装填されたメモリカード３００に撮影画像を表わす画像データが記録されるようになっているので、記憶媒体であるメモリカード３００が媒体装填室１００Ａ内に装着されているかどうかを検知するための記憶媒体着脱検知手段１０８が備えられている。さらに背面側（図２参照）には画像表示ＯＮ／ＯＦＦスイッチ１０７や背面側に備えられている表示画面の表面を保護するための防護用扉の開閉を検知する画像表示部開閉検知手段１０９も備えられている。これらの画像表示ＯＮ／ＯＦＦスイッチ１０７や記憶媒体着脱検知手段１０８や画像表示部開閉検知手段１０９それぞれからの信号もシステム制御回路１１０に供給されるようになっていてシステム制御回路１１０はそれらの信号を受けて処理を適宜実行するようにもなっている。
【００２９】
またシステム制御回路１１０は、ズームスイッチの操作に応じてズーム制御手段１０２０に指示して撮影レンズ１０２１の中のズームレンズを移動させたり、ＴＴＬ測距により得た測距結果に応じて測距制御手段１０３０に指示して撮影レンズ１０２１の中のフォーカスレンズを移動させたりもしている。
【００３０】
またシステム制御回路１１０では、ＣＣＤ固体撮像素子１２０で生成された画像信号に基づいて上記ＴＴＬ測距とともにＴＴＬ測光が行なわれている。さらに本実施形態のデジタルカメラ１においては、ＣＣＤ固体撮像素子１２０で生成された画像データが画像処理回路１４０を経由して色温度測定回路１４１に供給され色温度測定回路１４１で色温度の測定結果に基づいてホワイトバランス処理部が備える各色アンプのゲイン設定などが行なわれて好適なホワイトバランス調整がシステム制御回路１１０内のホワイトバランス処理部で行なわれるようにもなっている。
【００３１】
また上記ＴＴＬ測光による測光値に応じてシステム制御回路１１０は、露光制御手段１０４０に指示してその露光制御手段１０４０に絞り１０４１の開口を調節させたり、さらに撮影時においては測光結果を基に撮影補助光の発光を行なわさせる必要があるかどうかの判定を行なっている。この測光結果に応じて撮影補助光の発光を行なわせる必要があるとシステム制御回路１１０によって判定されたときには、色温度測定回路１４１からの色温度データ（Ｒ光：Ｇ光：Ｂ光の割合を表わす比率）に応じて発光量制御手段１１２に指示してＬＥＤ駆動回路１１３に赤色光を発光するＬＥＤ１１４ｒ、緑色光を発光するＬＥＤ１１４ｇ、青色光を発光するＬＥＤ１１４ｂそれぞれを駆動させることによって、撮影補助光を被写体に向けて照射させるようにしている。
【００３２】
ここで、このデジタルカメラの撮影処理に係る処理部の構成および動作を、撮影光学系の構成から順に説明していく。
【００３３】
図３に示すように、図１に示すレンズ鏡胴１００内にはフォーカスレンズやズームレンズといった撮影レンズ１０２１、さらに光量調節用の絞り１０４１などが配備されている。またこの例においてはレンズを保護するレンズバリア１０１１が配備されている例が示されており、電源スイッチが投入されるとそのレンズバリア１０１１が解放されて図１に示すように撮影レンズ１０２１が表面に露出する構成になっている。
【００３４】
この電源スイッチが投入されたときにモードスイッチ１０３が撮影側に切り替えられていた場合には、まず表面に露出した撮影レンズ１０２１を通ってＣＣＤ固体撮影素子１２０に結像された被写体像が、タイミング発生回路１２１からのタイミング信号に基づいて所定の間隔ごと（例えば３３ｍｓごと）に間引かれて出力される。その出力されたスルー画を表わす画像信号（以下スルー画信号）がＡ／Ｄ変換回路１３０でアナログの画像信号からデジタルの画像信号に変換され、さらにデジタルの画像信号がメモリ制御部１１１ａの制御の基、画像処理回路１４０に導かれる。この画像処理回路１４０でＲＧＢのスルー画信号からＹＣ信号のスルー画信号に変換され、さらにメモリ制御部１１１ａの制御の基、画像表示メモリ１５１に導かれてスルー画信号がその画像表示メモリ１５１内に記憶されるようになっている。この画像表示メモリ１５１内に記憶された１フレーム分のスルー画信号がメモリ制御部１１１ａにより読み出されてＤ／Ａ変換回路１６０に導かれアナログのスルー画信号に変換されてから画像表示部１５０に供給される。この例では、画像表示部１５０に所定の間隔ごとに新しいスルー画信号を供給することができるようにするために画像表示メモリ１５１を設けて、その画像表示メモリ１５１に少なくとも２フレーム分のスルー画信号を記憶することにより表示タイミングをうまく調整することができるようにしている。
【００３５】
ここでスルー画信号の流れとともに各部の動作を詳細に説明していく。
【００３６】
システム制御回路１１０の制御の基、タイミング発生回路１２１からのタイミング信号（例えば３３ｍｓごと）に応じて、撮影レンズ１０２０でＣＣＤ固体撮像素子１２０上の受光面に結像させた被写体像を表わす画像信号をスルー画信号として後段のＡ／Ｄ変換回路１３０へと出力させる。このＡ／Ｄ変換回路１３０でアナログの画像信号からデジタルの画像信号に変換されたスルー画信号が、メモリ制御部１１１ａの制御の基、画像処理回路１４０に導かれる。この画像処理回路１４０によってＲ色、Ｇ色、Ｂ色の各信号に分離されて色温度測定回路１４１に供給されたり、それらのＲ、Ｇ、Ｂの各色信号が色変換行列により表示用のＹＣ信号に変換されて後段の画像表示メモリ１５１に供給されたりする。Ｒ，Ｇ，Ｂの各色信号の方は後段の色温度測定回路１４１に供給されてこの色温度測定回路１４１により色温度の測定が行なわれたらシステム制御回路内部のホワイトバランス処理部を構成する各色アンプにその測定された色温度に応じたゲインがそれぞれ設定され画像信号のホワイトバランス調整が行なわれる。
【００３７】
またＹＣ信号の方は、画像表示メモリ１５１に供給され、画像表示メモリ１５１に供給され記憶される。この画像表示メモリ１５１には少なくとも２フレーム分の画像信号が記憶されるようになっており、２フレーム分の画像信号のうち、古い時刻に記憶された１フレーム分の画像信号がＤ／Ａ変換部１６０に導かれアナログ信号に変換されて画像表示部１５０に供給されスルー画が表示画面１５０１（図２参照）上に表示される。
【００３８】
前述したようにシステム制御回路１１０ではＴＴＬ測距が行なわれその測距結果に基づいて測距制御手段１０３０に指示して常に合焦点に撮影レンズ１０２１の中のフォーカスレンズを配置させるようにしたり、またズームスイッチ１０６が操作されたときにはズーム制御手段１０２０に指示してそのズームスイッチ１０６の操作によるズーム倍率に応じた位置に撮影レンズ１０２１の中のズームレンズを配置させるようにもしている。
【００３９】
このようにして常にピントのあった、ズームスイッチ１０６の操作位置に応じたズーム倍率のスルー画が表示されているときにシャッタボタン１０４が押されたら撮影処理が開始される。
【００４０】
システム制御回路１１０は、シャッタボタン１０４が押されたタイミングでタイミング発生回路１２１に露光開始信号をＣＣＤ固体撮像素子１２０に向けて供給させる。このときにＴＴＬ測光の測光結果により撮影補助光の発光が必要であるとシステム制御回路１１０が判定した場合には発光量制御手段１１２に指示してシャッタボタン１０４の押下に同期してスルー画表示中に色温度測定回路１４１で検出した色温度に近い色になるように４通りの発光色のうちのいずれかの発光色を持つ撮影補助光を発光部１１に発光させている。
【００４１】
こうしてシャッタボタンの押下に応じて、システム制御回路１１０内のホワイトバランス処理部によってホワイトバランス処理が好適に行なわれるような撮影補助光が発光されるか、もしくは発光されずにシャッタ秒時が経過したら、システム制御回路１１０は、タイミング発生回路１２１に指示を出して露光終了信号をＣＣＤ固体撮像素子１２０に向けて供給させる。
【００４２】
そうするとその露光終了信号に同期してＣＣＤ固体撮像素子１２０からＡ／Ｄ変換回路１３０に画像信号が出力される。このＡ／Ｄ変換回路１３０でＣＣＤ固体撮像素子１２０から出力されたアナログの画像信号がデジタルの画像信号に変換され、さらにこのデジタルの画像信号がメモリ制御部１１１ａに制御されバスを経由してメモリ１８０に供給される。そのメモリ１８０にＣＣＤ固体撮像素子１２０が備えるすべての画素からなる画像信号がすべて記憶されたら、今度はシステム制御回路１１０の制御の基、その画像信号が読み出されてシステム制御回路１１０で前述のホワイトバランス調整やガンマ補正などが行なわれる。さらにホワイトバランスに応じた撮影補助光の発光により得た画像信号にホワイトバランス調整やガンマ補正が行なわれた後、画像信号がバスを介して画像処理回路１４０に供給されＹＣ信号への変換が行なわれる。さらにＹＣ信号からなる画像信号がバスを介して圧縮・伸張回路１９０に供給されＹＣ信号からなる画像信号が圧縮されて記憶媒体３００ここではメモリカードに記憶される。
【００４３】
なお、カメラボディ側面部にあるコネクタ１１０５にケーブルを介してアンテナが接続されると外部との間で相互に無線により通信を行なうことができる通信手段１１０４や、操作内容をユーザに伝える表示部１１０２やメモリ１０３なども配備されている。
【００４４】
ここでこのデジタルカメラ１が動作するために必要な電力を供給する燃料電池１０の構成を説明した後、その燃料電池１０で生成された水がどのように用いられてこの撮影装置内部の熱源から発せられる熱が吸収されて外部へと放熱されるかを説明する。
【００４５】
まず、図４を参照して燃料電池１０についてその概要を簡単に説明しておく。
【００４６】
図４に示す燃料電池１０は、燃料タンク１０１内のメタノール水溶液と空気中の酸素との化学反応により起電力を得る直接メタノール型燃料電池と呼ばれるものである。上記燃料タンク１０１は、水素イオン生成用のメタノールを貯留しておく貯留部１０１Ａとそのメタノールから生成された水素イオンと酸素との反応により生成された水を回収するための回収部１０１Ｂとを備えている。この燃料タンク１０１が装填室１００に装填されると、燃料タンク１０１の貯留部１０１Ａから供給口Ｈを通って燃料電池１０の燃料室１０Ａにメタノールが供給される。
【００４７】
図４に示す様に、電池セル１０Ｃの両端側にはカーボンペーパ層１１Ｃ，１２Ｃが設けられており、これらのカーボンペーパ層１１Ｃ，１２Ｃは、双方とも空気室１０Ｂと電池セル１０Ｃ、燃料室１０Ａと電池セル１０Ｃとを隔離するための隔壁として作用している。さらにそれらのカーボンペーパ層１１Ｃ，１２Ｃの内側には化学反応の反応速度を速めるための触媒層１１Ｔ，１２Ｔがそれぞれ設けられている。以降の説明においては空気室側の触媒層を空気極触媒層１１Ｔと記載し、燃料室側の触媒層を燃料極触媒層１２Ｔと記載する。
【００４８】
さらに本実施形態の燃料電池には、空気極触媒層１１Ｔと燃料極触媒層１２Ｔとの間にプロトン伝導膜（ＰＲ）が設けられている。メタノール側で生成されたプロトン（ここでは水素イオンＨ＋）は、このプロトン伝導膜ＰＲを透過することができるが、電子（ｅ−）はこのプロトン伝導膜ＰＲを透過することができない。このようにプロトン伝導膜ＰＲを設けておくと、二次電池ＢＴへの充電が行なわれないときには燃料室１０Ａ側で生成された電子が空気室１０Ｂ側に供給されないため、空気室１０Ｂ側の化学反応が進行しなくなって燃料室１０Ａ側のメタノールの消費が抑えられる。もしも上記状態にあるときに電源スイッチが投入され負荷が接続されたら、電子（ｅ−）が負荷側を通って燃料電池１０の空気室１０Ｂに電子が流入して空気極側の化学反応の進行とともに燃料室１０Ａ側の化学反応も進行してプロトン（Ｈ＋）と電子（ｅ−）とが継続的に空気室１０Ｂ側に供給されるようになって発電が行なわれ続けることになる。  
【００４９】
ここで、いままで文章で説明してきた燃料電池１０が備える電池セル１０Ｃ内の化学反応を、化学反応式を用いてわかり易く説明する。
【００５０】
燃料タンク１０１が取出自在に装填室１００に装填されてメタノールが燃料室１０Ａ内に供給されている状態にあるときには燃料室１０Ａ側のメタノールと燃料触媒層１２Ｔとの間で次のような化学反応が始まる。
【００５１】
ＣＨ３ＯＨ+Ｈ２Ｏ  →  ＣＯ２+６Ｈ+＋ｅ−    化式１
そうすると上記化式１中のプロトン（Ｈ+）がプロトン伝導膜ＰＲを透過して空気室１１Ａ側に流入する様になる。この様になっているときに負荷が接続されると、燃料電池の燃料室１０Ａ側から負荷を通って電子（ｅ−）が空気極側（＋極）に流入するようになって空気室１０Ｂ側で次のような反応が起こり始める。
【００５２】
２Ｈ＋  ＋１／２Ｏ２  ＋  ２ｅ−→Ｈ２Ｏ  化式２  
上記化式２の化学反応が起こり始めると、発電作用により両電極間に１．１８５Ｖ程度の電位差が生じることになる。さらに化式２の反応が進むとその反応により水が生成され生成された水が次々と排出口から排出されて燃料タンクの水回収部１０１Ｂに水が回収されることになる。
【００５３】
本実施形態においては、水回収部１０１により回収された水を活用し、熱源周辺に循環路を設けてその循環路に水回収部内の水を流し込んで管内の水を循環させることによって水を冷却水として用いることができる様に工夫を凝らしている。
【００５４】
図５は、図１に示すデジタルカメラの幅方向中央を切断してその切断面を右側方から見た図である。
【００５５】
図１からも分かるように燃料タンク１０１が装填されると水回収部１０１ＢがＣＣＤ撮像素子１２０付近の上方に位置する。この位置関係を利用して水回収部１０１Ｂに孔Ｈｏｌｅを空けて循環路１２０１と水回収部１０１Ｂとを繋ぎ、水を循環路１２０１内に導いている。循環路１２０１内には水が満ちていることが好ましく、予め循環路１２０１内を水で満たしておいても良いが、電源が投入された後においてはこのデジタルカメラ１内で所定の電力が消費され燃料電池１０内で化学反応が進行して水回収部１０１Ｂには必ず水が生成される訳であるから、循環路１２０１内にいつでも水が導かれることになる。さらにもしも循環路１２０１内に満ちていた水が蒸発したとしても化学反応により生成された水が循環路内に常に導かれるため、いつまでも冷却水が循環路１２０１内に満ちていることになる。
【００５６】
このように冷却水が循環路１２０１内に満ちている状態にあると、ＣＣＤ固体撮像素子１２０からの熱がそのＣＣＤ固体撮像素子背面側の吸熱位置ＰＡでその循環路１２０１内の水に吸収され局部的に水が熱せられその局部的な部分の水のかさが増え軽くなって（熱せられた部分だけの水の密度が熱による温度上昇に応じて局部的に小さくなる）、水が対流し始め矢印の方向に上昇し始める。そして上昇した水がボディ内壁面ＩＷ（放熱位置）に達したときに今度は水が外気温とほぼ同じ温度になるまで冷却され冷却されたときに水が持っていた熱が低温度側にあたる外部へと放熱される。
【００５７】
このようにすると、燃料電池１０で生成された水が活用され熱源ここではＣＣＤ固体撮像素子１２０からの熱が効率的に冷却される。
【００５８】
図６は、熱源が発光部１１であった場合の例を説明する図である。図６には、図１のデジタルカメラを、閃光発光窓１１Ａを横切るようにして切断し切断した面を上方から眺めた図が示されている。
【００５９】
この図６には、発光部１１内のＬＥＤ１１４とそのＬＥＤ１１４から発光された光を照射方向である発光窓１１Ａ側方向に導くためのレフ板１１４２も図示されている。
【００６０】
そのＬＥＤ１１４が実装されている基板１１４３の背面側に循環路１１４１を設けて、ＬＥＤ１１４を冷却する場合の構成が示されている。このような構成にしても良い。
【００６１】
なお、上記実施形態では、ＣＣＤ固体撮像素子や発光部内のＬＥＤの背面にそれぞれ個別に循環回路を設けた場合の構成例を掲げたが、ＣＣＤ固体撮像素子と発光部内のＬＥＤとの双方の背面側に循環路を各々設けて双方とも冷却するようにしても良い。さらに他の熱源例えば半導体部品、集積回路に類するものであればどのようなものにでも本発明は適用されることは言うまでもない。
【図面の簡単な説明】
【００６２】
【図１】デジタルカメラ１の外観を示す図であって、正面斜め上方から見た斜視図である。
【図２】デジタルカメラ１の外観を示す図であって、背面斜め上方から見た斜視図である。
【図３】図１、図２に示すデジタルカメラ内部の回路構成を示すブロック図である。
【図４】燃料電池１０およびその燃料電池１０に燃料を供給するために装填された燃料タンク１０１周辺の構造を説明する図である。
【図５】図１に示すデジタルカメラの幅方向中央を切断してその切断面を右側方から見た図である。
【図６】熱源が発光部であった場合の例を説明する図である。
【符号の説明】
【００６３】
１  デジタルカメラ
１０  燃料電池
１０Ａ    燃料室
１０Ｂ    空気室
１０Ｃ    電池セル
１０Ｍ    モータ
１３    電源スイッチ
Ｈ    供給口
Ｄ    排出口
１０１    燃料タンク
１０１Ａ    貯留部
１０１Ｂ    水回収部
１０２    スライド蓋
１０００    レンズ鏡胴
１０２１    撮影レンズ
１０４    シャッタボタン
１２０    ＣＣＤ固体撮像素子
１２０１    循環路
ＰＡ      吸熱位置
ＩＷ      放熱位置
１１    発光部
１１４    ＬＥＤ（総称）
１１４１    循環路
【図１】
2007149453.tif 000003
【図２】
2007149453.tif 000004
【図３】
2007149453.tif 000005
【図４】
2007149453.tif 000006
【図５】
2007149453.tif 000007
【図６】
2007149453.tif 000008